(57)【要約】  本発明の一実施形態における、補聴器の費用を節減するために外部プロセッサを使用するスマートヒヤリング方法は、補聴器の動作モードを判断する段階、および前記補聴器の動作モードがノーマルモードまたはテストモードのうちで前記テストモードであると判断された場合、前記補聴器とは異なる端末に受信されたオーディオ信号を伝達する段階を含む。
2019528029.tif 000002
【特許請求の範囲】
【請求項１】
補聴器の動作モードを判断する段階、
前記補聴器の動作モードがノーマルモードまたはテストモードのうちで前記テストモードであると判断された場合、前記補聴器とは異なる端末に受信されたオーディオ信号を伝達する段階、
前記異なる端末によってオーディオ信号が処理されることに応答し、前記異なる端末からテスト結果に関する情報を受信する段階、および
前記テスト結果に関する情報に基づいて前記補聴器に対する制御パラメータを設定する段階
を含む、補聴器の費用を節減するために外部プロセッサを使用するスマートヒヤリング方法。
【請求項２】
前記テスト結果に関する情報に基づいて前記補聴器に対する制御パラメータを設定する段階は、
前記制御パラメータとしてオーディオ信号に対する周波数別のそれぞれのゲインに対する制御値を使用する段階、および
前記制御パラメータとしてオーディオ信号に対する周波数別のそれぞれのゲインに対するフィルタ値を使用する段階
を含む、請求項１に記載の補聴器の費用を節減するために外部プロセッサを使用するスマートヒヤリング方法。
【請求項３】
前記異なる端末によってオーディオ信号が処理されることに応答し、前記異なる端末からテスト結果に関する情報を受信する段階は、
オーディオ信号が処理されることに応答して補聴器の近距離通信モジュールを活性化させる段階、
前記近距離通信モジュールを利用して前記補聴器と前記異なる端末とをペアリングさせる段階、
前記端末に位置するテスト装備にテストを行う段階、および
前記テストを行う段階は、前記オーディオ信号を受信して前記オーディオ信号の周波数別のゲインを測定する段階
を含む、請求項１に記載の補聴器の費用を節減するために外部プロセッサを使用するスマートヒヤリング方法。
【請求項４】
前記端末に位置するテスト装備にテストを行う段階は、
前記テストの結果によって使用者の聴力を数値化する段階、および
前記数値化された聴力を利用して次のテストに参考として使用する段階
を含む、請求項３に記載の補聴器の費用を節減するために外部プロセッサを使用するスマートヒヤリング方法。
【請求項５】
前記端末に位置するテスト装備にテストを行う段階は、
前記テストの結果によって使用者の年齢層を決定する段階、および
前記決定された年齢層を利用して次のテストに参考として使用する段階
を含む、請求項３に記載の補聴器の費用を節減するために外部プロセッサを使用するスマートヒヤリング方法。
【請求項６】
前記端末に位置するテスト装備にテストを行う段階は、
前記テストは、周辺の騒音が特定値以下の場合に行われる段階、および
前記特定値を１０ｄＢ以下に設定する段階
を含む、請求項３に記載の補聴器の費用を節減するために外部プロセッサを使用するスマートヒヤリング方法。
【請求項７】
前記端末に位置するテスト装備にテストを行う段階は、
実際に前記テストを行う前に練習テストを実行する段階、および
前記練習テストは、前記テストを行うための多様な外部条件が満たされているかを確認する段階
を含む、請求項３に記載の補聴器の費用を節減するために外部プロセッサを使用するスマートヒヤリング方法。
【請求項８】
前記端末に位置するテスト装備にテストを行う段階は、
前記テストを行った月別履歴を格納する段階、および
前記格納された月別履歴を選択的に適用して使用する段階
を含む、請求項３に記載の補聴器の費用を節減するために外部プロセッサを使用するスマートヒヤリング方法。
【請求項９】
外部から聞こえるオーディオに対するアナログ信号をデジタル信号に処理する段階、
前記処理された信号を、前記制御パラメータを利用しながら、特定の周波数に対するゲインが相対的に弱い場合と特定の周波数に対するゲインが相対的に強い場合それぞれのバランスを調節する段階、および
前記調節された信号に対するデジタル信号をアナログ信号に変換して使用者に伝達する段階
を含む、補聴器の費用を節減するために外部プロセッサを使用するスマートヒヤリング方法。
【請求項１０】
補聴器の動作モードを判断する判断部、
前記補聴器の動作モードがノーマルモードまたはテストモードのうちで前記テストモードであると判断された場合、前記補聴器とは異なる端末に受信されたオーディオ信号を伝達する伝達部、
前記異なる端末によってオーディオ信号が処理されることに応答し、前記異なる端末からテスト結果に関する情報を受信する受信部、および
前記テスト結果に関する情報に基づいて前記補聴器に対する制御パラメータを設定する設定部
を備える、補聴器の費用を節減するために外部プロセッサを使用するスマートヒヤリングデバイス。
【請求項１１】
前記テスト結果に関する情報に基づいて前記補聴器に対する制御パラメータを設定する設定部は、
前記制御パラメータとしてオーディオ信号に対する周波数別それぞれのゲインに対する制御値を使用する制御値使用部、および
前記制御パラメータとしてオーディオ信号に対する周波数別それぞれのゲインに対するフィルタ値を使用するフィルタ値使用部
を備える、請求項１０に記載の補聴器の費用を節減するために外部プロセッサを使用するスマートヒヤリングデバイス。
【請求項１２】
前記異なる端末によってオーディオ信号が処理されることに応答し、前記異なる端末からテスト結果に関する情報を受信する受信部は、
オーディオ信号が処理されることに応答して補聴器の近距離通信モジュールを活性化させる活性化部、
前記近距離通信モジュールを利用して前記補聴器と前記異なる端末とをペアリングさせるペアリング部、
前記端末に位置するテスト装備にテストを行うテスト部、および
前記テストする段階は、前記オーディオ信号を受信して前記オーディオ信号の周波数別のゲインを測定する測定部
を備える、請求項１０に記載の補聴器の費用を節減するために外部プロセッサを使用するスマートヒヤリングデバイス。
【請求項１３】
前記端末に位置するテスト装備にテストを行うテスト部は、
前記テストの結果によって使用者の聴力を数値化する数値化部、および
前記数値化された聴力を利用して次のテストに参考として使用する使用部
を備える、請求項１２に記載の補聴器の費用を節減するために外部プロセッサを使用するスマートヒヤリングデバイス。
【請求項１４】
前記端末に位置するテスト装備にテストを行うテスト部は、
前記テストの結果によって使用者の年齢層を決定する決定部、および
前記決定された年齢層を利用して次のテストに参考として使用する年齢層使用部
を備える、請求項１２に記載の補聴器の費用を節減するために外部プロセッサを使用するスマートヒヤリングデバイス。
【請求項１５】
前記端末に位置するテスト装備にテストを行うテスト部は、
前記テストを周辺の騒音が特定値以下である場合に行う進行部、および
前記特定値を１０ｄＢ以下に設定する特定値設定部
を備える、請求項１２に記載の補聴器の費用を節減するために外部プロセッサを使用するスマートヒヤリングデバイス。
【請求項１６】
前記端末に位置するテスト装備にテストを行うテスト部は、
実際に前記テストを行う前に練習テストを実施する練習テスト部、および
前記練習テストは、前記テストするための多様な外部条件が満たされているかを確認する確認部
を備える、請求項１２に記載の補聴器の費用を節減するために外部プロセッサを使用するスマートヒヤリングデバイス。
【請求項１７】
前記端末に位置するテスト装備にテストを行うテスト部は、
前記テストを行った月別履歴を格納する格納部、および
前記格納された月別履歴を選択的に適用して使用する月別履歴使用部
を備える、請求項１２に記載の補聴器の費用を節減するために外部プロセッサを使用するスマートヒヤリングデバイス。
【請求項１８】
外部から聞こえるオーディオに対するアナログ信号をデジタル信号に処理する処理部、
前記処理された信号を、前記制御パラメータを利用しながら、特定の周波数に対するゲインが相対的に弱い場合と特定の周波数に対するゲインが相対的に強い場合それぞれのバランスを調節する調節部、および
前記調節された信号に対するデジタル信号をアナログ信号に変換して使用者に伝達する信号伝達部
を備える、補聴器の費用を節減するために外部プロセッサを使用するスマートヒヤリングデバイス。
【発明の詳細な説明】
【技術分野】
【０００１】
本発明は、補聴器の費用を節減するために外部プロセッサを使用するスマートヒヤリングデバイスに関し、より詳細には、補聴器の動作モードがノーマルモードまたはテストモードのうちで前記テストモードであると判断された場合、前記補聴器とは異なる端末に受信されたオーディオ信号を伝達する段階を含む、補聴器の費用を節減するために外部プロセッサを使用するスマートヒヤリングデバイスに関する。
【背景技術】
【０００２】
最近は、医工学的な技術の飛躍的な発展に伴い、今までは補聴器を着けてもそれほど大きな助けを感じることのできなかった患者らも、自身に適した補聴器を選んで着けることで、優れた聴力改善を期待することができるようになった。
【０００３】
補聴器は、医療機器の中でも、常に体に付着して使用する先端医療機器である。このような補聴器は、聴力の変化に合わせて継続的なメンテナンスが必要となる上に、湿気や耳内の異物によって損傷することもあるためアフターサービスは必須である。したがって、補聴器は、医工学的技術の中でも最も重要な技術の１つであると言える。
【０００４】
初期の補聴器はラッパ型の集音機の形態であったが、現在は普通音の増幅を助ける電気補聴器の形態が使用されている。また、前記補聴器は、乳突部に着用する骨導式も存在するが、その大半は気導式になった。すなわち、前記補聴器は、音波をマイクロホンで受信して電気振動に変換し、これを拡大してイヤホンで再び音波に変えて耳に聞こえるようにするものである。
【０００５】
最近、このような補聴器に関する研究が絶え間なく続けられているが、近来に開発されたデジタル補聴器は、単に音だけを増幅するのではなく、可聴周波数帯域の低音域と高音域をいくつかのチャンネルに分けて個別に増幅したり制御したりする。前記チャンネルは、前記チャンネルの数によって２チャンネル、４チャンネル、および９チャンネルと呼ばれる。前記デジタル増幅器は、使用者の聴力損失度に応じて周波数別に必要なだけの増幅を調整するため、従来の増幅器に比べて遥かに明瞭な音を聞くことができる。
【０００６】
最近、ある補聴器会社では、強力な補聴器専用プロセッサを開発するなどの努力を見せている。前記補聴器専用プロセッサは、従来のプロセッサに比べて２倍以上も速くなった処理速度とメモリを搭載しており、進化したナノ技術により、すべてのチップと部品が極小に構成されている。
【０００７】
しかし、このような補聴器の発展技術にも係わらず、前記補聴器内部に配置されるプロセッサ１個あたりの価格は１００万ウォンを上回り、消費者が日常的に使用するには負担が大きい。
【０００８】
このような費用問題を、一部の開発者は大量生産による効果で解決しようとしているが、このような解決方案には限界がある。これは、補聴器が一般医療機器に比べて需要が少ないという特徴を持つためである。
【０００９】
さらに、補聴器を供給および販売してサービスするには、売場賃貸料、専門家雇用費用、先端装備の購入など、多くの固定費用も発生する。このような補聴器の価格問題は将来的にも続くと予想され、開発者の重要な研究案件となっている。
【発明の概要】
【発明が解決しようとする課題】
【００１０】
本発明の一実施形態における、補聴器の費用を節減するために外部プロセッサを使用するスマートヒヤリングデバイスは、補聴器の外部端末のプロセッサを使用して前記補聴器の費用を節減する。
【００１１】
本発明の一実施形態における、補聴器の費用を節減するために外部プロセッサを使用するスマートヒヤリングデバイスは、補聴器の外部端末のプロセッサが行うテストをテストモードの場合にだけ選択的に使用することで、前記デバイスの効率を高める。
【００１２】
本発明の一実施形態における、補聴器の費用を節減するために外部プロセッサを使用するスマートヒヤリングデバイスは、周波数によって使用者の聴力を感知して効率的にデバイスを制御する。
【００１３】
本発明の一実施形態における、補聴器の費用を節減するために外部プロセッサを使用するスマートヒヤリングデバイスは、近距離通信によって外部プロセッサと前記補聴器を連結させ、使用者が前記技術を便利に利用できるようにする。
【課題を解決するための手段】
【００１４】
補聴器の費用を節減するために外部プロセッサを使用するスマートヒヤリング方法は、補聴器の動作モードを判断する段階を含む。
【００１５】
前記補聴器の費用を節減するために外部プロセッサを使用するスマートヒヤリング方法は、前記補聴器の動作モードがノーマルモードまたはテストモードのうちで前記テストモードであると判断された場合、前記補聴器とは異なる端末に受信されたオーディオ信号を伝達する段階を含む。
【００１６】
前記補聴器の費用を節減するために外部プロセッサを使用するスマートヒヤリングデバイスは、外部から聞こえるオーディオに対するアナログ信号をデジタル信号に処理する段階、前記処理された信号を、前記制御パラメータを利用しながら、特定の周波数に対するゲインが相対的に弱い場合と特定の周波数に対するゲインが相対的に強い場合それぞれのバランスを調節する段階、および前記調節された信号に対するデジタル信号をアナログ信号に変換して使用者に伝達する段階を含む。
【００１７】
前記異なる端末によってオーディオ信号が処理されることに応答し、前記異なる端末からテスト結果に関する情報を受信する受信部は、オーディオ信号が処理されることに応答して補聴器の近距離通信モジュールを活性化させる活性化部、前記近距離通信モジュールを利用して前記補聴器と前記異なる端末をペアリングさせるペアリング部、前記端末に位置するテスト装備にテストを行うテスト部、および前記テストを行う段階は、前記オーディオ信号を受信して前記オーディオ信号の周波数別のゲインを測定する測定部を備える。
【００１８】
補聴器の費用を節減するために外部プロセッサを使用するスマートヒヤリングデバイスは、外部から聞こえるオーディオに対するアナログ信号をデジタル信号に処理する処理部、前記処理された信号を、前記制御パラメータを利用しながら、特定の周波数に対するゲインが相対的に弱い場合と特定の周波数に対するゲインが相対的に強い場合それぞれのバランスを調節する調節部、および前記調節された信号に対するデジタル信号をアナログ信号に変換して使用者に伝達する信号伝達部を備える。
【発明の効果】
【００１９】
本発明の一実施形態における、補聴器の費用を節減するために外部プロセッサを使用するスマートヒヤリングデバイスは、補聴器の外部端末のプロセッサを使用して前記補聴器の費用を節減することができる。
【００２０】
本発明の一実施形態における、補聴器の費用を節減するために外部プロセッサを使用するスマートヒヤリングデバイスは、補聴器の外部端末のプロセッサが行うテストをテストモードの場合にだけ選択的に使用することで、前記デバイスの効率を高めることができる。
【００２１】
本発明の一実施形態における、補聴器の費用を節減するために外部プロセッサを使用するスマートヒヤリングデバイスは、周波数によって使用者の聴力を感知して効率的にデバイスを制御することができる。
【００２２】
本発明の一実施形態における、補聴器の費用を節減するために外部プロセッサを使用するスマートヒヤリングデバイスは、近距離通信によって外部プロセッサと前記補聴器を連結させ、使用者が前記技術を便利に使用できるようにする。
【図面の簡単な説明】
【００２３】
【図１】本発明の一実施形態における、補聴器の費用を節減するために外部プロセッサを使用するスマートヒヤリング方法を示したフローチャートである。
【図２】本発明の一実施形態における、テスト結果に関する情報に基づいて補聴器に対する制御パラメータを設定する段階を示したフローチャートである。
【図３】本発明の一実施形態における、異なる端末によってオーディオ信号が処理されることに応答し、異なる端末からテスト結果に関する情報を受信する段階を示したフローチャートである。
【図４】本発明の一実施形態における、端末に位置するテスト装備にテストを行う段階を示したフローチャートである。
【図５】本発明の一実施形態における、外部から聞こえるオーディオに対するアナログ信号をデジタル信号に処理する段階を示したフローチャートである。
【図６】本発明の一実施形態における、補聴器の費用を節減するために外部プロセッサを使用するスマートヒヤリング装置を示した図である。
【図７】本発明の一実施形態における、ペアリング部が端末と前記装置を連結させた場合に前記端末に表示される画面を示した図である。
【図８】本発明の一実施形態における、進行部が周辺の騒音を測定した場合に端末に表示される画面を示した図である。
【図９】本発明の一実施形態における、テスト部が周波数別に聴力をテストする場合に端末に表示される画面を示した図である。
【図１０】本発明の一実施形態における、テスト部の決定部および数値化部が作動する場合に端末に表示される画面を示した図である。
【発明を実施するための形態】
【００２４】
以下、本発明の実施形態について、添付の図面を参照しながら説明する。以下では限定された実施形態について説明するが、このような実施形態は本発明の一例に過ぎず、当業者であればこのような実施形態を容易に変更することができるであろう。
【００２５】
図１は、本発明の一実施形態における、補聴器の費用を節減するために外部プロセッサを使用するスマートヒヤリング方法を示したフローチャートである。
図１を参照すると、本発明の一実施形態における、補聴器の費用を節減するために外部プロセッサを使用するスマートヒヤリング方法は、補聴器の動作モードを判断する（Ｓ１１０）。前記補聴器の動作モードは、ノーマルモードあるいはテストモードであってよい。
【００２６】
また、本発明の一実施形態における、補聴器の費用を節減するために外部プロセッサを使用するスマートヒヤリング方法は、前記補聴器の動作モードがノーマルモードまたはテストモードのうちでテストモードであると判断された場合、補聴器とは異なる端末に受信されたオーディオ信号を伝達する（Ｓ１２０）。
【００２７】
使用者あるいは開発者は、前記オーディオ信号を伝達するための環境を造成しなければならず、このような環境は、前記補聴器の費用を節減するために外部プロセッサを使用するスマートヒヤリング方法の効率を高めることができる。
【００２８】
また、本発明の一実施形態における、補聴器の費用を節減するために外部プロセッサを使用するスマートヒヤリング方法は、異なる端末によってオーディオ信号が処理されることに応答し、異なる端末からテスト結果に関する情報を受信する（Ｓ１３０）。
【００２９】
前記受信する過程についての詳細な説明は、図３を参照しながら説明する。
前記受信する過程を実施するために、前記オーディオ信号を伝達する過程と同じように、使用者または開発者は、前記受信するための最適な環境を造成しなければならず、このような環境は、前記補聴器の費用を節減するために外部プロセッサを使用するスマートヒヤリング方法の効率を高めることができる。
【００３０】
また、本発明の一実施形態における、補聴器の費用を節減するために外部プロセッサを使用するスマートヒヤリング方法は、テスト結果に関する情報に基づいて補聴器に対する制御パラメータを設定する（Ｓ１４０）。前記制御パラメータは、本発明で行われたテストの結果が、補聴器の費用を節減するために外部プロセッサを使用するスマートヒヤリングデバイスでの使用に適するように制御される。
【００３１】
前記制御パラメータを設定する過程についての詳細な説明は、図２を参照しながら説明する。
【００３２】
図２は、本発明の一実施形態における、テスト結果に関する情報に基づいて補聴器に対する制御パラメータを設定する段階を示したフローチャートである。
図２を参照すると、本発明の一実施形態における、テスト結果に関する情報に基づいて補聴器に対する制御パラメータを設定する段階は、制御パラメータとしてオーディオ信号に対する周波数別それぞれのゲインに対する制御値を使用する（Ｓ２１０）。
【００３３】
これは、使用者ごとに前記オーディオ信号が有する周波数別のゲインがそれぞれ異なるため、前記補聴器の費用を節減するために外部プロセッサを使用するスマートヒヤリングデバイスは、このようなそれぞれの値を調節しなければならないためである。
前記ゲインとは、それぞれの測定値が有する強度であると言える。
【００３４】
また、本発明の一実施形態における、テスト結果に関する情報に基づいて補聴器に対する制御パラメータを設定する段階は、前記制御パラメータとしてオーディオ信号に対する周波数別それぞれのゲインに対するフィルタ値を使用する（Ｓ２２０）。
【００３５】
前記ゲインに対するフィルタ値を使用する段階は、前記ゲインに対する制御値を使用して制御された値をもう一度フィルタによってフィルタリングするものであり、前記補聴器の正確度を高めることができる。
【００３６】
図３は、本発明の一実施形態における、異なる端末によってオーディオ信号が処理されることに応答し、異なる端末からテスト結果に関する情報を受信する段階を示したフローチャートである。
図３を参照すると、前記異なる端末によってオーディオ信号が処理されることに応答し、異なる端末からテスト結果に関する情報を受信する段階は、オーディオ信号が処理されることに応答して補聴器の近距離通信モジュールを活性化させる段階を含む（Ｓ３１０）。
【００３７】
前記補聴器の近距離通信モジュールを活性化させる段階は、ブルートゥース（登録商標）あるいは他の技術を利用して前記複数の機器の連結を活性化させる段階であってよい。
【００３８】
また、前記異なる端末によってオーディオ信号が処理されることに応答し、異なる端末からテスト結果に関する情報を受信する段階は、近距離通信モジュールを利用して補聴器と異なる端末とをペアリングさせる段階を含む（Ｓ３２０）。
【００３９】
前記ペアリングさせる段階は、前記補聴器と連結する端末が、前記補聴器と連結する端末以外の他の端末と混同されないようにするためである。これは、前記補聴器の費用を節減するために外部プロセッサを使用するスマートヒヤリング方法の効率を高めることができる。
【００４０】
また、本発明の一実施形態における、異なる端末によってオーディオ信号が処理されることに応答し、異なる端末からテスト結果に関する情報を受信する段階は、端末に位置するテスト装備にテストを行う段階を含む（Ｓ３３０）。
【００４１】
前記テストを行う段階は、オーディオ信号それぞれに応じて異なるように行われてよく、多様な過程で行われてよい。前記端末に位置するテスト装備にテストを行う段階については、図４でさらに詳しく説明する。
【００４２】
また、前記テストを行う段階は、オーディオ信号を受信してオーディオ信号の周波数別のゲインを測定する段階を含んでよい（Ｓ３４０）。
【００４３】
使用者の難聴の殆どは、全範囲の周波数に該当するのではなく、特定の周波数に制限されている。また、前記周波数別のゲインは使用者ごとに異なることから、前記補聴器は、前記使用者に脆弱な周波数帯のゲインを制御することができる。
【００４４】
図４は、本発明の一実施形態における、端末に位置するテスト装備にテストを行う段階を示したフローチャートである。
図４を参照すると、前記テスト装備にテストを行う段階は、テストの結果によって使用者の聴力を数値化する段階を含む（Ｓ４１０）。
【００４５】
前記聴力を数値化する段階は、前記補聴器を利用する過程がより円滑に作動するようにできる。
【００４６】
前記テスト装備にテストを行う段階は、前記数値化された聴力を利用して次のテストに参考として使用する（Ｓ４２０）。これにより、複数のテストが行われる場合、前記複数のテストの正確度を高めることができる。
【００４７】
また、前記テスト装備にテストを行う段階は、テストの結果によって使用者の年齢層を決定する（Ｓ４３０）。前記決定された年齢層を利用して次のテストに参考として使用する（Ｓ４４０）。
【００４８】
また、前記テスト装備にテストを行う段階は、周辺の騒音が特定値以下である場合に前記テストが行われてよい（Ｓ４５０）。
【００４９】
また、前記テスト装備にテストを行う段階は、前記特定値を１０ｄＢ以下に設定してよい（Ｓ４６０）。前記周辺の騒音を減らす段階は、前記テストから抽出される結果値の正確度を高めることができる。
【００５０】
また、前記テスト装備にテストを行う段階は、前記テストを行う前に練習テストを実施してよい（Ｓ４７０）。前記練習テストを実施する段階は、テストを行うための一連の条件が満たされているかを確認するための過程であってよい（Ｓ４８０）。
【００５１】
また、前記テスト装備にテストを行う段階は、前記テストを行った月別履歴を格納してよい（Ｓ４９０）。また、前記テスト装備にテストを行う段階は、前記格納された月別履歴を選択的に適用して使用する（Ｓ４９１）。
【００５２】
図５は、本発明の一実施形態における、外部から聞こえるオーディオに対するアナログ信号をデジタル信号に処理する段階を示したフローチャートである。
図５を参照すると、本発明の一実施形態における、補聴器の費用を節減するために外部プロセッサを使用するスマートヒヤリング方法は、外部から聞こえるオーディオに対するアナログ信号をデジタル信号に処理する段階を含む（Ｓ５１０）。
【００５３】
また、補聴器の費用を節減するために外部プロセッサを使用するスマートヒヤリング方法は、処理された信号を、制御パラメータを利用しながら、特定の周波数に対するゲインが相対的に弱い場合と特定の周波数に対するゲインが相対的に強い場合それぞれのバランスを調節してよい（Ｓ５２０）。
【００５４】
また、前記補聴器の費用を節減するために外部プロセッサを使用するスマートヒヤリング方法は、前記調節された信号に対するデジタル信号をアナログ信号に変換して使用者に伝達する過程を含む（Ｓ５３０）。
【００５５】
図６は、本発明の一実施形態における、補聴器の費用を節減するために外部プロセッサを使用するスマートヒヤリング装置を示した図である。
図６を参照すると、本発明の一実施形態における、補聴器の費用を節減するために外部プロセッサを使用するスマートヒヤリング装置６００は、判断部６１０を備える。
前記判断部６１０は、補聴器の動作モードを判断してよい。前記補聴器の動作モードは、ノーマルモードまたはテストモードであってよい。
【００５６】
また、前記補聴器の費用を節減するために外部プロセッサを使用するスマートヒヤリング装置６００は、補聴器の動作モードがノーマルモードまたはテストモードのうちでテストモードであると判断された場合、補聴器とは異なる端末６８０に受信されたオーディオ信号を伝達する伝達部６２０を備える。
【００５７】
また、前記補聴器の費用を節減するために外部プロセッサを使用するスマートヒヤリング装置６００は、受信部６３０を備える。前記受信部６３０は、異なる端末６８０によってオーディオ信号が処理されることに応答し、異なる端末６８０からテスト結果に関する情報を受信する。
【００５８】
また、前記受信部６３０は、活性化部６３１、ペアリング部６３２、テスト部６３３、および測定部６３４を備える。
【００５９】
前記活性化部６３１は、前記オーディオ信号が処理されることに応答して補聴器の近距離通信モジュールを活性化させる。また、前記ペアリング部６３２は、近距離通信モジュールを利用して補聴器と異なる端末６８０とをペアリングさせる。
【００６０】
また、前記テスト部６３３は、数値化部６３３−ａ、使用部６３３−ｂ、決定部６３３−ｃ、年齢層使用部６３３−ｄ、進行部６３３−ｅ、特定値設定部６３３−ｆ、練習テスト部６３３−ｇ、確認部６３３−ｈ、格納部６３３−ｉ、および月別履歴使用部６３３−ｊを備える。
【００６１】
前記数値化部６３３−ａは、テストの結果によって使用者の聴力を数値化する。また、前記使用部６３３−ｄは、数値化された聴力を利用して次のテストに参考として使用する。
【００６２】
また、前記決定部６３３−ｃは、前記テストの結果によって使用者の年齢層を決定する。
【００６３】
また、前記年齢層使用部６３３−ｄは、前記決定された年齢層を利用して次のテストに参考として使用する。
【００６４】
また、前記進行部６３３−ｅは、前記テストを周辺の騒音が特定値以下である場合に実施する。また、前記特定値設定部６３３−ｆは、前記特定値を１０ｄＢ以下に設定する。
【００６５】
また、前記練習テスト部６３３−ａは、前記テストを行う前に練習テストを実施する。また前記確認部６３３−ｈは、前記練習テストを利用してテストを行うための多様な外部条件が満たされているかを確認する。
【００６６】
また、前記格納部６３３−ｉは、前記テストの月別履歴を格納する。
また、前記月別履歴使用部６３３−ｊは、前記格納された月別履歴を選択的に適用して使用する。
また、前記受信部６３０に備えられる測定部６３４は、前記オーディオ信号を受信してオーディオ信号の周波数別のゲインを測定する。
【００６７】
また、前記補聴器の費用を節減するために外部プロセッサを使用するスマートヒヤリング装置６００は、設定部６４０を備える。前記設定部は、制御値使用部６４１およびフィルタ値使用部６４２を備える。前記設定部６４０は、テスト結果に関する情報に基づいて補聴器に対する制御パラメータを設定する。また、前記制御値使用部６４１は、制御パラメータとしてオーディオ信号に対する周波数別それぞれのゲインに対する制御値を使用する。
【００６８】
また、前記フィルタ値使用部６４２は、前記制御パラメータとしてオーディオ信号に対する周波数別それぞれのゲインに対するフィルタ値を使用する。
【００６９】
また、前記補聴器の費用を節減するために外部プロセッサを使用するスマートヒヤリング装置６００は、処理部６５０、調節部６６０、および信号伝達部６７０を備える。前記処理部６５０は、外部から聞こえるオーディオに対するアナログ信号をデジタル信号に処理する。
【００７０】
また、前記調節部６６０は、処理された信号を、制御パラメータを利用しながら、特定の周波数に対するゲインが相対的に弱い場合と特定周波数に対するゲインが相対的に強い場合それぞれのバランスを調節する。
【００７１】
また、前記信号伝達部６７０は、調節された信号に対するデジタル信号をアナログ信号に変換して使用者に伝達する。
【００７２】
図７は、本発明の一実施形態における、ペアリング部が端末と前記装置を連結させる場合に前記端末に表示される画面を示した図である。
図７を参照すると、使用者の端末６８０には、オリーブ追加画面が表示される。前記オリーブは、使用者が使用する補聴器の左側であっても、右側であってもよい。また、前記使用者の端末６８０には、前記オリーブ追加画面でオリーブ追加ボタンを押すとブルートゥース（登録商標）連結がなされる画面が表示される。
【００７３】
前記ブルートゥース（登録商標）連結がなされる過程は、前記ペアリング部６３２で行われる過程であると理解されてよい。また、前記ブルートゥース（登録商標）は、前記オリーブとの連結のためにオリーブを探索する。探索されたオリーブは、前記端末６８０と連結されてよい。また、前記連結したオリーブは、端末６８０に登録されてよい。
【００７４】
使用者は、前記オリーブに対する名称を登録してよい。また、前記連結したオリーブには、既存のテスト値あるいは新たにテストした値を入力してよい。
【００７５】
また、前記端末６８０は、オリーブ追加が完了すると、新たなオリーブ追加画面を表示する。
【００７６】
図８は、本発明の一実施形態における、進行部が周辺の騒音を測定する場合に端末に表示される画面を示した図である。
前記テスト部６３３は、周辺の騒音が特定値以下である場合にテストを行ってよく、図８の左側に示された図面は、前記騒音を減らした環境の造成を使用者に促す通知を示している。前記騒音が特定値以下の環境を造成する過程は、進行部６３３−ｅによって行われてよい。
【００７７】
前記端末６８０は、前記騒音が特定値以下である場合、前記条件を満たしていることに対する認証画面を表示してよい。また、周辺の騒音が特定値以下である場合、前記端末６８０は、両耳のうちのどちらの耳で測定を行うかに対する選択画面を端末に表示する。
【００７８】
また、前記端末６８０は、前記一連の過程が完了した場合、練習テストを実施してよい。前記練習テストは、実際のテストが行われる前に、前記テスト部６３３の周辺が一定条件を満たしているかをテストするものである。図８の右側には、前記練習テストを実施する間に端末６８０に表示される画面を示している。
【００７９】
図９は、本発明の一実施形態における、テスト部が周波数別の聴力をテストする場合に端末に表示される画面を示した図である。
テスト部６３３では、使用者それぞれが認識するオーディオ信号の周波数別のゲイン値を測定してテストされてよい。図９は、前記オーディオ信号の周波数別のゲイン値を測定する過程で端末６８０に表示される画面を示している。
【００８０】
例えば、前記端末６８０は、２０００Ｈｚの周波数を選定した場合、使用者の耳に音が最も良く聞こえるときにボタンを押すように命令する。これは、２０００Ｈｚ以外の他の周波数であってもよく、使用者は、前記情報を総合してテスト結果を導き出してよい。図９は、このような全過程が行われる間に使用者の端末６８０に表示される画面を示している。
【００８１】
図１０は、本発明の一実施形態における、テスト部の決定部および数値化部が作動する場合に端末に表示される画面を示した図である。
図１０を参照すると、本発明の一実施形態に係る端末６８０は、使用者の年齢層および聴力を数値化する。前記使用者の年齢層および聴力を数値化する過程は、数値化部６３３−ａおよび決定部６３３−ｃで行われる過程であってよい。前記数値化された複数の値は、グラフで表示されてよい。
【００８２】
また、前記スマートヒヤリングデバイスは、既存にテストされたオーディオ信号を月別に格納してよく、前記月別に格納されたデータを表示した端末６８０に対するイメージは、図１０に示された３つの画面のうちの中間画面に表示される。
【００８３】
前記オーディオ信号を月別に格納する過程は、格納部６３３−ｉによって実行されてよい。
また、前記スマートヒヤリングデバイスは、連結する機器が複数台である場合、前記機器のうちから１つを選択し、機器別の聴力報告書を確認する画面を端末６８０に表示してよい。
【００８４】
以上のように、実施形態を、限定された実施形態と図面に基づいて説明したが、当業者であれば、上述した記載から多様な修正および変形が可能であろう。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
【００８５】
したがって、異なる実施形態であっても、特許請求の範囲と均等なものであれば、添付される特許請求の範囲に属する。
【符号の説明】
【００８６】
６００：補聴器の費用を節減するために外部プロセッサを使用するスマートヒヤリング装置
６１０：伝達部
６２０：伝達部
６３０：受信部
６４０：設定部
６５０：処理部
６６０：調節部
６7０：信号伝達部
６８０：端末
６９０：テスト装備
【図１】
2019528029.tif 000003
【図２】
2019528029.tif 000004
【図３】
2019528029.tif 000005
【図４】
2019528029.tif 000006
【図５】
2019528029.tif 000007
【図６】
2019528029.tif 000008
【図７】
2019528029.tif 000009
【図８】
2019528029.tif 000010
【図９】
2019528029.tif 000011
【図１０】
2019528029.tif 000012
【国際調査報告】
2019528029.tif 000013
2019528029.tif 000014
2019528029.tif 000015
2019528029.tif 000016
2019528029.tif 000017
2019528029.tif 000018